(57)【要約】      （修正有）【課題】組立時の配線処理の手間を省き、コストを低減した安価な構成で、かつ設計変更に容易に対応できる電気湯沸かし器のセンサ取付構成を提供する。【解決手段】容器１０と、センサユニット１１は容器１０の温度を検知するセンサ１２と、センサ１２を保持する保持体１３と、センサ１２に結線されたリード線１６とからなり、保持体１３をコイルバネ付勢部材１４を介して固定する固定部材１５とを備え、固定部材１５に保持体１３を容器１０側から通して保持する開口穴１５ａを固定部材１５の端面側にもがかかるように設けているので、組立時にセンサ１２に結線されたリード線１６を固定部材１５に設けた開口穴１５ａに容器１０側から通す必要がないため、組立に手間がかからなくなる。保持体１３の形状変更や取付寸法の変更などの設計変更が発生した場合、コイルバネ付勢部材１４の仕様変更で容易に対応することができる。【選択図】  図１
2004275481.tif 000002
【特許請求の範囲】
【請求項１】
液体を収容する容器と、センサユニットと、前記センサユニットを固定する固定部材と、コイルバネ付勢部材とを備え、前記センサユニットは前記容器の温度を検知するセンサと、前記センサを保持する保持体と、前記センサに連続して結線されたリード線とを備えて構成し、前記固定部材には前記保持体を前記容器側から通して保持する開口穴を前記固定部材の端面とつながるように開口させて設け、前記コイルバネ付勢部材は前記保持体と固定部材の間に係止させた電気湯沸かし器。
【請求項２】
保持体に設けた固定ツメと、固定部材には前記固定ツメを容器側から通す切欠を前記固定部材の端面側の開口に向けた位置に設けた請求項１記載の電気湯沸かし器。
【請求項３】
コイルバネ付勢部材の外径を覆うように保持体に外壁を設けた請求項１記載の電気湯沸かし器。
【請求項４】
保持体に設けた固定ツメに嵌合する回転止めを、固定部材に設けた請求項１記載の電気湯沸かし器。
【請求項５】
センサユニットを前記容器側に付勢するバネを樹脂バネとし、保持体に一体形成してなる請求項１記載の電気湯沸かし器。
【請求項６】
液体を収容する容器と、センサユニットと、コイルバネ付勢部材とを備え、前記センサユニットを前記容器側に付勢する板バネ付勢部材を前記容器に固着してなる電気湯沸かし器。
【請求項７】
液体を収容する容器と、前記容器の温度を検知するセンサと、前記センサを前記容器との間に挟み込む受熱板とを備え、前記受熱板を前記容器に固着してなる電気湯沸かし器。
【発明の詳細な説明】
【０００１】
【発明の属する技術分野】
本発明は、電気湯沸かし器の温度を検出するセンサ取付構成に関する。
【０００２】
【従来の技術】
従来の電気湯沸かし器の一例を図６（ａ）（ｂ）に示す。図に示すように液体を収容する容器７と、センサユニット１と、固定部材５と、板バネ付勢部材４を備え、センサユニット１は容器７の温度を検知するセンサ２と、センサ２を保持する保持体３と、センサ２に連続結線されたリード線６とで構成されている。固定部材５は保持体３を板バネ付勢部材４を介して係止している。従来例のセンサ取付構成は、板バネ付勢部材４の中央部分に保持体３を固定し、板バネ付勢部材４の両端に固定ツメ４ａを設けて固定部材５に装着している。
【０００３】
また、固定部材５にリード線６を通す開口穴を設けている。従来例の組立順序は、まずはじめにリード線６が連続結線されたセンサ２を保持体３に装着してセンサユニット１を構成する。次に、このセンサユニット１に板バネ付勢部材４を装着する。次に、このセンサユニット１のリード線６を固定部材５に設けた穴に容器７側から通し、板バネ付勢部材４の両端に設けた固定ツメ４ａを固定部材５に装着する。
【０００４】
【発明が解決しようとする課題】
このような従来の構成では、組立時にセンサ２に連続して結線されたリード線６を固定部材５に設けた開口穴に容器７側から通す必要があるため、組立に手間がかかっていた。また、板バネ付勢部材４は部品コストが高い上に、板バネ付勢部材４の付勢力は固定部材５への取付と板バネ付勢部材４の形状で決定されるため、保持体３の形状変更や取付寸法の変更などの設計変更が発生した場合、板バネ付勢部材４の金型を新設するなど、多額の変更費用が発生していた。
【０００５】
本発明はこのような課題を解決するもので、組立時の配線処理の手間を省き、部品コストを低減した安価な構成で、かつ設計変更に容易に対応できる電気湯沸かし器のセンサ取付構成を提供することを目的とするものである。
【０００６】
【課題を解決するための手段】
前記の従来の課題を解決するために、本発明の電気湯沸かし器は、液体を収容する容器と、センサユニットと、前記センサユニットを固定する固定部材と、コイルバネ付勢部材とを備え、前記センサユニットは前記容器の温度を検知するセンサと、前記センサを保持する保持体と、前記センサに連続して結線されたリード線とを備えて構成し、前記固定部材には前記保持体を前記容器側から通して保持する開口穴を前記固定部材の端面とつながるように開口させて設け、前記コイルバネ付勢部材は前記保持体と固定部材の間に係止させた取付構成としたものである。
【０００７】
これにより、固定部材に保持体を容器側から通して保持する開口穴を固定部材の端面とつながるように設けているので、組立時にセンサに連続して結線されたリード線を固定部材に設けた開口穴に容器側から通す必要がないため（開口穴の端面側の開口から通す）、組立に手間がかからなくなる。また、コイルバネ付勢部材を使用しているので、部品コストを抑えることができるとともに、保持体の形状変更や取付寸法の変更などの設計変更が発生した場合、コイルバネ付勢部材の仕様変更で容易に対応することができ、変更費用を抑えることができる。
【０００８】
【発明の実施の形態】
本発明の請求項１記載の発明は、液体を収容する容器と、センサユニットと、前記センサユニットを固定する固定部材と、コイルバネ付勢部材とを備え、前記センサユニットは前記容器の温度を検知するセンサと、前記センサを保持する保持体と、前記センサに連続して結線されたリード線とを備えて構成し、前記固定部材には前記保持体を前記容器側から通して保持する開口穴を前記固定部材の端面とつながるように開口させて設け、前記コイルバネ付勢部材は前記保持体と固定部材の間に係止させた取付構成としたものである。
【０００９】
組立順序は、まずはじめにリード線が連続結線されたセンサを保持体に装着する。次に、このユニットの保持体の外周にコイルバネ付勢部材を装着する。次に、このユニットを固定部材に設けた穴に容器側から通し、保持体を固定部材に装着する。
【００１０】
これによって、固定部材に保持体を容器側から通して保持する開口穴を固定部材の端面の開口とつながるように設けているので、組立時にセンサに連続して結線されたリード線は固定部材に設けた開口穴に容器側から通す必要がないため、組立に手間がかからなくなる。また、コイルバネ付勢部材を使用しているので、部品コストを抑えることができるとともに、保持体の形状変更や取付寸法の変更などの設計変更が発生した場合、コイルバネ付勢部材の仕様変更で容易に対応することができ、変更費用を抑えることができる。
【００１１】
本発明の請求項２記載の発明は、請求項１記載の構成において、保持体に設けた固定ツメと、固定部材には前記固定ツメを容器側から通す切欠きを固定部材の端面側の開口に向けた位置に設けたものである。
【００１２】
これによって、保持体に設けた固定ツメを容器側から通する切欠きを固定部材の端面側の開口に向けた位置に設けているので、固定部材に設けた開口穴に容器側から通して保持体を固定部材に装着する際、保持体に設けた固定ツメと固定部材に設けた切欠きを合わせて通した後、保持体を回転させるだけで保持体の固定部材への固定を行うことができる。
【００１３】
本発明の請求項３記載の発明は、請求項１記載の構成において、コイルバネ付勢部材の外径を覆うように保持体に外壁を設けたものである。
【００１４】
これによって、コイルバネ付勢部材の外径を覆うように保持体に外壁を設けているので、コイルバネ付勢部材の脱落を防ぐことができる。
【００１５】
本発明の請求項４記載の発明は、請求項１記載の構成において、保持体に設けた固定ツメに嵌合する回転止めを固定部材に設けたものである。
【００１６】
これによって、保持体に設けた固定ツメに嵌合する回転止めを固定部材に設けているので、保持体の回転方向の位置決めを行い、センサと容器の正確な位置関係を確保できる。
【００１７】
本発明の請求項５記載の発明は、液体を収容する容器と、前記容器の温度を検知するセンサと、前記センサを保持する保持体と、前記保持体を固定する固定部材とを備え、前記センサを前記容器側に付勢する樹脂バネを前記保持体に一体形成したものである。
【００１８】
これによって、センサを容器側に付勢する樹脂バネを保持体に一体形成しているので、板バネやコイルバネなどの付勢部材が不要となり、部品点数を削減することができ、構成が簡素化できる。
【００１９】
本発明の請求項６記載の発明は、液体を収容する容器と、前記容器の温度を検知するセンサと、前記センサを保持する保持体と、前記保持体を固定する板バネ付勢部材とを備え、前記センサを前記容器側に付勢する前記板バネ付勢部材を前記容器に固着したものである。
【００２０】
これによって、センサを容器側に付勢する板バネ付勢部材を容器に固着しているので、従来保持体を固定していた固定部材が不要となり、部品点数を削減することができ、さらに構成が簡素化できる。
【００２１】
本発明の請求項７記載の発明は、液体を収容する容器と、前記容器の温度を検知するセンサと、前記センサを前記容器との間に挟み込む受熱板とを備え、前記受熱板を前記容器に固着したものである。
【００２２】
これによって、センサを容器との間に挟み込む受熱板を設けて容器に固着しているので、従来センサを容器側に付勢する機能を果たしていた保持体、固定部材、付勢部材が不要となり、部品点数を削減することができ、さらに構成が簡素化できる。
【００２３】
【実施例】
以下、本発明の実施例について、図１〜図５を参照しながら説明する。
【００２４】
（実施例１）
本発明の実施例１について説明する。図１（ａ）は本発明の実施例１の電気湯沸かし器のセンサ取付構成の断面図、（ｂ）は同取り付け構成を示す斜視図、図２は本発明の実施例１を説明する電気湯沸かし器のセンサ取付構成の平面図である。図に示すように１０は電気湯沸かし器（図示せず）の湯を収容する容器である。１１はセンサユニットで、センサユニット１１は容器１０の温度を検知するセンサ１２と、センサ１２を保持する保持体１３から構成されている。１４はコイルバネ付勢部材である。１３ａは保持体１３に設けた固定ツメである。１３ｂはコイルバネ付勢部材１４の外径を覆うように保持体１３に設けた外壁である。１５は保持体１３をコイルバネ付勢部材１４を介して固定する固定部材である。１５ａは固定部材１５に保持体１３を容器１０側から通して保持する開口穴であり、固定部材１５の端面がかかるように設けている。このため、固定部材１５に設けた開口穴１５ａはその一部を固定部材の端面側に開口させて設けている。１５ｂは固定ツメ１３ａを容器１０側から通す切欠きであり、切欠き１５ｂを固定部材１５の端面につながるように開口させた位置に設けている。１５ｃは保持体１３に設けた固定ツメ１３ａに嵌合する回転止めであり、固定部材１５に設けている。１６はセンサ１２に連続して結線されたリード線である。
【００２５】
本実施例の組立順序について説明する。まずはじめにリード線１６が連続して結線されたセンサ１２を保持体１３に装着してセンサユニット１１を構成する。次に、このセンサユニット１１の保持体１３の外周にコイルバネ付勢部材１４を装着する。次に、このユニットを固定部材１５に設けた開口穴１５ａに容器１０側から通し、保持体１３を固定部材１５に装着する。この際、保持体１３に設けた固定ツメ１３ａと固定部材１５に設けた切欠き１５ｂを合わせて通した後、保持体１３を回転させる。
【００２６】
固定部材１５に保持体１３を容器１０側から通して保持する開口穴１５ａを固定部材１５の端面がかかるように設けているので、組立時にセンサ１２に連続して結線されたリード線１６を固定部材１５に設けた開口穴１５ａに容器１０側から通す必要がないため、組立に手間がかからなくなる。
【００２７】
また、コイルバネ付勢部材１４を使用しているので、部品コストを抑えることができるとともに、保持体１３の形状変更や取付寸法の変更などの設計変更が発生した場合、コイルバネ付勢部材１４の仕様変更で容易に対応することができ、変更費用を抑えることができる。
【００２８】
保持体１３に設けた固定ツメ１３ａを容器１０側から通して保持する開口穴１５ａを固定部材１５の端面とつながるように開口させて設けているので、固定部材１５に設けた切欠き１５ｂに容器１０側から通して保持体１３を固定部材１５に装着するだけで保持体１３の固定部材１５への固定を行うことができる。
【００２９】
コイルバネ付勢部材１４の外径を覆うように保持体１３に外壁１３ｂを設けているので、コイルバネ付勢部材１４の脱落を防ぐことができる。
【００３０】
保持体１３に設けた固定ツメ１３ａに嵌合する回転止め１５ｃを固定部材１５に設けているので、保持体１３の回転方向の位置決めを行い、センサ１２と容器１０の正確な位置関係を確保できる。
【００３１】
（実施例２）
本発明の実施例２について説明する。図３は本発明の実施例２の電気湯沸かし器のセンサ取付構成の断面図である。実施例１で説明した符号と同じ符号は同じ構成要素であるので説明を省略する。実施例１と異なるところはコイルバネ付勢部材１４の代わりにセンサ１２を容器１０側に付勢する樹脂バネ１３ｃを保持体１３に一体形成させた点である。
【００３２】
センサ１２を容器１０側に付勢する樹脂バネ１３ｃを保持体１３に一体形成しているので、板バネ付勢部材４（従来例に示す）やコイルバネ付勢部材１４などが不要となり、部品点数を削減することができ、構成が簡素化できる。
【００３３】
（実施例３）
本発明の実施例３について説明する。図４は本発明の実施例３の電気湯沸かし器のセンサ取付構成の断面図である。実施例１で説明した符号と同じ符号は同じ構成要素であるので説明を省略する。実施例１と異なるところはコイルバネ付勢部材１４の代わりにセンサ１２を容器１０側に付勢する板バネ付勢部材１８を容器１０にスポット溶接などの方法で固着した点である。
【００３４】
センサ１２を容器１０側に付勢する板バネ付勢部材１８を容器１０に固着しているので、従来保持体１３を固定していた固定部材１５が不要となり、部品点数を削減することができ、さらに構成が簡素化できる。
【００３５】
（実施例４）
本発明の実施例４について説明する。図５（ａ）（ｂ）は本発明の実施例４の電気湯沸かし器のセンサ取付構成の断面図である。実施例１で説明した符号と同じ符号は同じ構成要素であるので説明を省略する。の実施例１と異なるところはセンサ１２を容器１０との間に挟み込む受熱板１７を容器１０にスポット溶接などの方法で固着した点である。
【００３６】
センサ１２を容器１０との間に挟み込む受熱板１７を設けて容器１０に固着しているので、従来センサ１２を容器１０側に付勢する機能を果たしていた保持体１３、固定部材１５、付勢部材１４が不要となり、部品点数を削減することができ、さらに構成が簡素化できる。
【００３７】
【発明の効果】
請求項１記載の発明によれば、固定部材に保持体を容器側から通して保持する開口穴を固定部材の端面にかかるように設けているので、組立時にセンサに連続して結線されたリード線を固定部材に設けた開口穴に容器側から通す必要がないため、組立に手間がかからなくなる。また、仕様変更で容易に対応することができる。
【００３８】
請求項２記載の発明によれば、固定部材に設けた開口穴に容器側から通して保持体を固定部材に装着する際、保持体に設けた固定ツメと固定部材に設けた切欠きを合わせて通した後、保持体を回転させるだけで保持体の固定部材への固定を行うことができる。
【００３９】
請求項３記載の発明によれば、コイルバネ付勢部材の外径を覆うように保持体に外壁を設けているので、コイルバネ付勢部材の脱落を防ぐことができる。
【００４０】
請求項４記載の発明によれば、保持体に設けた固定ツメに嵌合する回転止めを固定部材に設けているので、保持体の回転方向の位置決めを行い、センサと容器の正確な位置関係を確保できる。
【００４１】
請求項５記載の発明によれば、樹脂バネを保持体に一体形成しているので、板バネやコイルバネなどの付勢部材が不要となり、部品点数を削減することができ、構成が簡素化できる。
【００４２】
請求項６記載の発明によれば、センサを容器側に付勢する板バネ付勢部材を容器に固着しているので、従来保持体を固定していた固定部材が不要となり、さらに構成が簡素化できる。
【００４３】
請求項７記載の発明によれば、センサを容器との間に挟み込む受熱板を設けて容器に固着しているので、従来センサを容器側に付勢する機能を果たしていた保持体、固定部材、付勢部材が不要となり、さらに構成が簡素化できる。
【図面の簡単な説明】
【図１】（ａ）本発明の実施例１を示す電気湯沸かし器の断面図
（ｂ）同センサユニットの取り付けを説明する斜視図
【図２】本発明の実施例１を示す電気湯沸かし器の平面図
【図３】本発明の実施例２を示す電気湯沸かし器の断面図
【図４】本発明の実施例３を示す電気湯沸かし器の断面図
【図５】（ａ）本発明の実施例４を示す電気湯沸かし器の横断面図
（ｂ）本発明の実施例４を示す電気湯沸かし器の縦断面図
【図６】（ａ）従来例を示す電気湯沸かし器の断面図
（ｂ）同センサユニットの取り付けを説明する斜視図
【符号の説明】
１０  容器
１１  センサユニット
１２  センサ
１３  保持体
１３ａ  固定ツメ
１３ｂ  外壁
１３ｃ  樹脂バネ
１４  コイルバネ付勢部材
１５  固定部材
１５ａ  開口穴
１５ｂ  切欠き
１５ｃ  回転止め
１６  リード線
１７  受熱板
１８  板バネ付勢部材
【図１】
2004275481.tif 000003
【図２】
2004275481.tif 000004
【図３】
2004275481.tif 000005
【図４】
2004275481.tif 000006
【図５】
2004275481.tif 000007
【図６】
2004275481.tif 000008